(57)【要約】【課題】異なる種別間で予め定められた分類項目別の画像同士を比較しながら閲覧することができる表示制御装置を提供する。【解決手段】主制御部３８により、表示領域上の位置及び表示領域に表示された画像に対する操作を指定する操作パネル１４Ｂを備えた表示パネル１４Ａの表示領域を、第１方向に並ぶと共に、異なる種別間で同じ分類項目の画像を含む複数の種別の何れかの種別に各々表示する画像の種別が定められた複数の分割領域に分割し、複数の分割領域の各々に定められた種別の画像を分類項目毎にまとめて表示し、指定部を介して行われた第２方向への表示画像のスクロールを指定するスクロール操作が検出された場合で、かつ同じ分類項目に属する画像が表示される分割領域である複数の特定分割領域が存在する場合、分類項目毎にまとめて表示された画像に対する予め定められた位置が特定分割領域間で同調する速度で、表示画像を第２方向にスクロールさせる。【選択図】図２
2014071764.tif 000002
【特許請求の範囲】
【請求項１】
画像を表示する表示領域を備えると共に、前記表示領域上の位置及び表示領域に表示された画像に対する操作を指定する指定部を備えた表示手段の前記表示領域を、第１方向に並ぶと共に、異なる種別間で同じ分類項目の画像を含む複数の種別の何れかの種別に各々表示する画像の種別が定められた複数の分割領域に分割し、前記複数の分割領域の各々に定められた種別の画像を分類項目毎にまとめて表示する制御を行う第１制御手段と、
前記指定部を介して行われた前記第１方向に交差する第２方向への表示画像のスクロールを指定するスクロール操作を検出する検出手段と、
前記検出手段によって前記スクロール操作が検出された場合で、かつ同じ分類項目に属する画像が表示される分割領域である複数の特定分割領域が存在する場合、分類項目毎にまとめて表示された画像に対する予め定められた位置が前記特定分割領域間で同調する速度で、前記表示画像を前記第２方向にスクロールさせる制御を行う第２制御手段と、
を備えた表示制御装置。
【請求項２】
前記検出手段は、前記複数の分割領域の何れかの分割領域に表示されている何れかの分類項目に属する画像に対して行われる前記スクロール操作を検出し、
前記第２制御手段は、前記特定分割領域における前記検出手段によって検出された前記スクロール操作が行われた分類項目に属する画像の数に応じて、該特定分割領域毎の前記速度を導出する
請求項１記載の表示制御装置。
【請求項３】
前記第２制御手段は、前記検出手段によって検出された前記スクロール操作が行われた分類項目に属する画像が表示されない分割領域の表示画像をスクロールの制御対象から除外する
請求項２記載の表示制御装置。
【請求項４】
前記検出手段は、前記スクロール操作で指定されたスクロールの方向を更に検出し、
前記第２制御手段は、前記検出手段によって検出された前記スクロールの方向が同じ方向である場合、分類項目毎にまとめて表示された画像の終端の位置が前記特定分割領域間で同調する速度で、前記表示画像を前記第２方向にスクロールさせる制御を行う
請求項２または３記載の表示制御装置。
【請求項５】
前記検出手段は、前記スクロール操作で指定されたスクロールの方向を更に検出し、
前記第２制御手段は、前記検出手段によって検出された前記スクロールの方向が反対方向である場合、分類項目毎にまとめて表示された画像の終端の位置と先端の位置とが前記特定分割領域間で同調する速度で、前記表示画像を前記第２方向にスクロールさせる制御を行う
請求項４記載の表示制御装置。
【請求項６】
前記画像は、撮影によって得られた画像であり、
前記分類項目は、前記画像が撮影された時刻の範囲を示す情報であり、
前記第１制御手段は、各分割領域間で異なる種別で、かつ同一の分割領域内に前記時刻の経過に沿った順番で、かつ前記時刻の範囲毎に前記画像をまとめて表示する制御を行う
請求項１乃至５の何れか１項記載の表示制御装置。
【請求項７】
前記第１制御手段は、前記分類項目毎に画像をまとめて表示する領域の近傍に、対応する分類項目を示す分類項目情報を更に表示させる制御を行い、
前記検出手段は、前記スクロール操作に代えて何れかの前記分類項目情報を指定する第１指定操作を検出し、
前記第２制御手段は、前記検出手段によって検出された前記第１指定操作により指定された前記分類項目情報により示される前記分類項目を対象として前記スクロールさせる制御を行う
請求項１乃至６の何れか１項記載の表示制御装置。
【請求項８】
前記第１制御手段は、前記検出手段により前記指定操作が検出された場合、前記分類項目の一覧を前記表示領域に表示させる制御を行い、
前記検出手段は、前記分類項目の一覧の何れかの前記分類項目を指定する第２指定操作を更に検出し、
前記第２制御手段は、前記検出手段によって検出された前記第２指定操作により指定された前記分類項目を対象として前記スクロールさせる制御を行う
請求項７記載の表示制御装置。
【請求項９】
前記分割領域の各々を独立させて前記画像をスクロールさせる第１モード、及び前記分割領域間で連動して前記画像をスクロールさせる第２モードを相互に切り替える切替手段をさらに有し、
前記第２制御手段は、前記切替手段により前記第２モードに切り替えられた場合のみ、前記スクロールさせる制御を行う
請求項１乃至８の何れか１項記載の表示制御装置。
【請求項１０】
請求項１乃至９の何れか１項記載の表示制御装置と、
前記表示制御装置によって制御される表示手段と、
を有する画像表示装置。
【請求項１１】
コンピュータを、請求項１乃至９の何れか１項記載の表示制御装置における第１制御手段、検出手段及び第２制御手段として機能させるためのプログラム。
【発明の詳細な説明】
【技術分野】
【０００１】
本発明は、表示制御装置、画像表示装置、およびプログラムに関する。
【背景技術】
【０００２】
特許文献１には、画像を表示する表示部と、グループ分けされた画像を各グループ毎に複数グループ同時に前記表示部に表示させるとともに、表示される画像の切換えを制御する制御部と、表示部に表示される画像の切換えを指示する切換え指示部と、表示部に表示される複数のグループの中からグループを選択する選択指示部と、を備え、前記制御部は、前記切換え指示部による切換えの指示があったときには、画面に表示されている画像の中で、前記選択指示部により選択されたグループとして表示される画像についてのみ、前記指示に応じて切り替える表示装置が開示されている。
【０００３】
また、特許文献２には、撮影画像をグループに分類して管理するグループ管理部と、撮影条件に基づく順番で縮小画像が配列される画像列を前記グループ毎に形成し、この形成した画像列を複数グループ分並べて表示させ、指示に応じて、この複数の画像列の表示をスクロールさせるように切り替え制御する表示制御部と、を具備し、前記表示制御部は、前記複数の画像列の中で特定された画像を基準画像とし、この基準画像の属するグループ以外の他のグループの画像列が前記基準画像の表示位置を基準として表示されるように切り替え制御する表示制御装置が開示されている。
【０００４】
さらに、特許文献３には、画面上に１つまたは複数のウィンドウを開いた各ウィンドウ内にテキスト、図形等を表示するようにしたウィンドウシステムにおいて、予め定めたウィンドウが開いたなら自動的にその表示内容をスクロールする手段を具備したウィンドウシステムが開示されている。
【先行技術文献】
【特許文献】
【０００５】
【特許文献１】特開２００６−２６８０１０号公報
【特許文献２】特開２００７−１９９６３号公報
【特許文献３】特開平０４−２３４７８９号公報
【発明の概要】
【発明が解決しようとする課題】
【０００６】
本発明は、画像を種別毎に一覧表示した際に、異なる種別間で予め定められた分類項目別の画像同士を比較しながら閲覧することができる表示制御装置、画像表示装置、およびプログラムを提供することを目的とする。
【課題を解決するための手段】
【０００７】
上記目的を達成するために、請求項１に記載した表示制御装置は、画像を表示する表示領域を備えると共に、前記表示領域上の位置及び表示領域に表示された画像に対する操作を指定する指定部を備えた表示手段の前記表示領域を、第１方向に並ぶと共に、異なる種別間で同じ分類項目の画像を含む複数の種別の何れかの種別に各々表示する画像の種別が定められた複数の分割領域に分割し、前記複数の分割領域の各々に定められた種別の画像を分類項目毎にまとめて表示する制御を行う第１制御手段と、前記指定部を介して行われた前記第１方向に交差する第２方向への表示画像のスクロールを指定するスクロール操作を検出する検出手段と、前記検出手段によって前記スクロール操作が検出された場合で、かつ同じ分類項目に属する画像が表示される分割領域である複数の特定分割領域が存在する場合、分類項目毎にまとめて表示された画像に対する予め定められた位置が前記特定分割領域間で同調する速度で、前記表示画像を前記第２方向にスクロールさせる制御を行う第２制御手段と、を備えている。
【０００８】
また、請求項２に記載した表示制御装置は、請求項１記載の発明において、前記検出手段が、前記複数の分割領域の何れかの分割領域に表示されている何れかの分類項目に属する画像に対して行われる前記スクロール操作を検出し、前記第２制御手段が、前記特定分割領域における前記検出手段によって検出された前記スクロール操作が行われた分類項目に属する画像の数に応じて、該特定分割領域毎の前記速度を導出する。
【０００９】
また、請求項３に記載した表示制御装置は、請求項２記載の発明において、前記第２制御手段が、前記検出手段によって検出された前記スクロール操作が行われた分類項目に属する画像が表示されない分割領域の表示画像をスクロールの制御対象から除外する。
【００１０】
また、請求項４に記載した表示制御装置は、請求項２または３記載の発明において、前記検出手段が、前記スクロール操作で指定されたスクロールの方向を更に検出し、前記第２制御手段が、前記検出手段によって検出された前記スクロールの方向が同じ方向である場合、分類項目毎にまとめて表示された画像の終端の位置が前記特定分割領域間で同調する速度で、前記表示画像を前記第２方向にスクロールさせる制御を行う。
【００１１】
また、請求項５に記載した表示制御装置は、請求項４記載の発明において、前記検出手段が、前記スクロール操作で指定されたスクロールの方向を更に検出し、前記第２制御手段が、前記検出手段によって検出された前記スクロールの方向が反対方向である場合、分類項目毎にまとめて表示された画像の終端の位置と先端の位置とが前記特定分割領域間で同調する速度で、前記表示画像を前記第２方向にスクロールさせる制御を行う。
【００１２】
また、請求項６に記載した表示制御装置は、請求項１乃至５の何れか１項記載の発明において、前記画像が、撮影によって得られた画像であり、前記分類項目が、前記画像が撮影された時刻の範囲を示す情報であり、前記第１制御手段が、各分割領域間で異なる種別で、かつ同一の分割領域内に前記時刻の経過に沿った順番で、かつ前記時刻の範囲毎に前記画像をまとめて表示する制御を行う。
【００１３】
また、請求項７に記載した表示制御装置は、請求項１乃至６の何れか１項記載の発明において、前記第１制御手段が、前記分類項目毎に画像をまとめて表示する領域の近傍に、対応する分類項目を示す分類項目情報を更に表示させる制御を行い、前記検出手段が、前記スクロール操作に代えて何れかの前記分類項目情報を指定する第１指定操作を検出し、前記第２制御手段が、前記検出手段によって検出された前記第１指定操作により指定された前記分類項目情報により示される前記分類項目を対象として前記スクロールさせる制御を行う。
【００１４】
また、請求項８に記載した表示制御装置は、請求項７記載の発明において、前記第１制御手段が、前記検出手段により前記指定操作が検出された場合、前記分類項目の一覧を前記表示領域に表示させる制御を行い、前記検出手段が、前記分類項目の一覧の何れかの前記分類項目を指定する第２指定操作を更に検出し、前記第２制御手段が、前記検出手段によって検出された前記第２指定操作により指定された前記分類項目を対象として前記スクロールさせる制御を行う。
【００１５】
さらに、請求項９に記載した表示制御装置は、請求項１乃至８の何れか１項記載の発明において、前記分割領域の各々を独立させて前記画像をスクロールさせる第１モード、及び前記分割領域間で連動して前記画像をスクロールさせる第２モードを相互に切り替える切替手段をさらに有し、前記第２制御手段が、前記切替手段により前記第２モードに切り替えられた場合のみ、前記スクロールさせる制御を行う。
【００１６】
一方、上記目的を達成するために、請求項１０に記載した画像表示装置は、請求項１乃至９の何れか１項記載の表示制御装置と、前記表示制御装置によって制御される表示手段と、を有している。
【００１７】
さらに、上記目的を達成するために、請求項１１に記載したプログラムは、コンピュータを、請求項１乃至９の何れか１項記載の表示制御装置における第１制御手段、検出手段及び第２制御手段として機能させる。
【発明の効果】
【００１８】
請求項１、請求項１０及び請求項１１に記載の発明によれば、画像を種別毎に一覧表示した際に、異なる種別間で予め定められた分類項目別の画像同士を比較しながら閲覧することができる。
【００１９】
また、請求項２に記載の発明によれば、ユーザが指定した分類項目に属する画像同士を異なる種別間で比較しながら閲覧することができる。
【００２０】
また、請求項３に記載の発明によれば、参照したい画像のみをスクロールさせることができる結果、当該画像の視認性を向上させることができる。
【００２１】
また、請求項４及び請求項５に記載の発明によれば、ユーザによるスクロール操作のスクロール方向に応じて、異なる種別間で予め定められた分類項目別の画像同士を比較しながら閲覧することができる。
【００２２】
また、請求項６に記載の発明によれば、異なる種別間で同時刻に撮影された画像同士を比較しながら閲覧することができる。
【００２３】
また、請求項７に記載の発明によれば、本発明を適用しない場合と比較して、より簡単な操作で、ユーザが指定した分類項目の画像同士を異なる種別間で比較しながら閲覧することができる。
【００２４】
また、請求項８に記載の発明によれば、ユーザが指定した分類項目に属する画像同士を比較しながら閲覧することができる。
【００２５】
また、請求項９に記載の発明によれば、各分割領域を個別にスクロールさせる表示と、各分割領域を連動してクスロールさせる表示とを両立させることができる。
【図面の簡単な説明】
【００２６】
【図１】実施形態に係るスマートフォンの外観を示す斜視図である。
【図２】実施形態に係るスマートフォンの構成を示すブロック図である。
【図３】実施形態に係るファイル情報の構成例を示す模式図である。
【図４】第１実施形態に係る表示制御処理プログラムの処理の流れを示すフローチャートである。
【図５】第１実施形態に係るメニュー画面の構成例を示す正面図である。
【図６】第１実施形態に係る画像一覧画面の構成例を示す正面図である。
【図７】第１実施形態に係る画像一覧画面に対する操作状態の説明に供する説明図である。
【図８】第１実施形態に係る画像一覧画面における種別毎のスクロール速度の導出方法の説明に供する説明図である。
【図９】第１実施形態に係る画像一覧画面に対する操作状態の説明に供する説明図である。
【図１０】第１実施形態に係る画像一覧画面に対する操作状態の説明に供する説明図である。
【図１１】第２実施形態に係る表示制御処理プログラムの処理の流れを示すフローチャートである。
【図１２】第２実施形態に係る画像一覧画面に対する操作状態の説明に供する説明図である。
【図１３】第２実施形態に係る画像一覧画面に対する操作状態の説明に供する説明図である。
【図１４】第２実施形態に係る画像一覧画面に対する操作状態の説明に供する説明図である。
【図１５】第２実施形態に係る画像一覧画面に対する操作状態の説明に供する説明図である。
【図１６】第２実施形態に係る画像一覧画面に対する操作状態の説明に供する説明図である。
【発明を実施するための形態】
【００２７】
以下、図面を参照して、本発明を実施するための形態について詳細に説明する。なお、以下の実施形態では、本発明をスマートフォンに適用した場合を例に挙げて説明する。しかし、これに限らず、本発明は、例えば、他の携帯電話機、ＰＤＡ（Personal Digital Assistants）、携帯型ゲーム機等、タッチパネル・ディスプレイを有する他の装置に適用可能であることは言うまでもない。
【００２８】
また、各実施形態に係るスマートフォンは、複数のメニュー項目を提示してユーザに所望のメニュー項目を選択させることにより、各メニュー項目に対応するアプリケーションプログラムやソフトウェアを起動するが、これに限定されない。すなわち、各実施形態に係るスマートフォンは、アプリケーションプログラムやソフトウェアを起動する指示が入力された場合に、指示されたアプリケーションプログラムやソフトウェアに基づいて後述する一覧表示の機能を起動しても良い。また、各実施形態に係るスマートフォンは、ＵＲＬ（Uniform Resource Locator）が指定された場合に、ウェブブラウジング機能によって起動されるアプリケーションプログラムやソフトウェアで、後述する一覧表示の機能を起動しても良い。
【００２９】
［第１実施形態］
【００３０】
図１に示すように、本実施形態に係るスマートフォン１０は、平板状の筐体１２を有し、筐体１２の一方の面に表示手段としての表示パネル１４Ａと、タッチパネル（指定部）として構成された操作パネル１４Ｂとが一体となった表示入力部１４を備えている。また、係る筐体１２は、スピーカ１６と、マイクロホン１８と、操作部２０と、カメラ部２２とを備えている。なお、筐体１２の形状は単なる平板状に限定されず、例えば、折り畳み構造やスライド機構を有する構成を採用しても良い。
【００３１】
図２に示すように、スマートフォン１０は、主たる構成要素として、上述した表示入力部１４、操作部２０、及びカメラ部２２と、無線通信部２４、通話部２６、記憶部２８、外部入出力部３０、電源部３６、及び主制御部３８とを備えている。なお、スマートフォン１０は、主たる機能として、基地局装置と移動通信網とを介した移動無線通信を行う無線通信機能を備えている。
【００３２】
無線通信部２４は、主制御部３８の指示にしたがって、上記移動通信網に収容された基地局装置に対し無線通信を行うものである。係る無線通信を使用して、外部装置との間で音声データ、画像データ等の各種ファイルデータ、電子メールデータ等の送受信や、ウェブデータやストリーミングデータ等の受信を行う。
【００３３】
一方、表示入力部１４は、主制御部３８の制御により、画像（静止画像および動画像）や文字情報等を表示して視覚的にユーザに情報を伝達するとともに、表示した情報に対するユーザ操作を検出する、いわゆるタッチパネル・ディスプレイである。前述したように、本実施形態に係る表示入力部１４は、表示パネル１４Ａと、操作パネル１４Ｂとを備える。
【００３４】
ここで、表示パネル１４Ａは、ＬＣＤ（Liquid Crystal Display）、ＯＥＬＤ（Organic Electro-Luminescence Display）等を表示デバイスとして用いたものである。また、操作パネル１４Ｂは、表示パネル１４Ａの表示面上に表示される画像を視認可能に表示パネル１４Ａに積層され、ユーザの指や尖筆によって操作される一又は複数の座標を検出するデバイスである。係るデバイスをユーザの指や尖筆によって操作すると、当該デバイスは、操作に起因して発生する検出信号を主制御部３８に出力する。次いで、主制御部３８は、受信した検出信号に基づいて、表示パネル１４Ａ上の操作位置（座標）を検出する。
【００３５】
なお、表示パネル１４Ａの表示領域の大きさと表示パネル１４Ａの大きさとを完全に一致させても良いが、両者を必ずしも一致させる必要は無い。また、操作パネル１４Ｂで採用される位置検出方式としては、マトリクススイッチ方式、抵抗膜方式、表面弾性波方式、赤外線方式、電磁誘導方式、静電容量方式等が挙げられ、いずれの方式を採用しても良い。
【００３６】
一方、通話部２６は、前述したスピーカ１６やマイクロホン１８を備える。通話部２６は、マイクロホン１８を通じて入力されたユーザの音声を主制御部３８にて処理可能な音声データに変換して主制御部３８に出力したり、無線通信部２４または外部入出力部３０により受信された音声データを復号してスピーカ１６から出力したりする。なお、図１に示すように、例えば、スピーカ１６及びマイクロホン１８を表示入力部１４が設けられた面と同じ面に搭載する。
【００３７】
また、操作部２０は、キースイッチ等を用いたハードウェアキーであって、ユーザからの指示を受け付けるものである。例えば、図１に示すように、操作部２０は、スマートフォン１０の筐体１２の側面に搭載され、指等で押下されるとオンとなり、指を離すとバネ等の復元力によってオフ状態となる押しボタン式のスイッチである。
【００３８】
さらに、記憶部２８は、主制御部３８により実行される制御プログラムや制御データ、アプリケーションソフトウェア、通信相手の名称や電話番号等を対応づけたアドレスデータ、送受信した電子メールのデータを記憶する。また、記憶部２８は、ウェブブラウジングによりダウンロードしたウェブデータや、ダウンロードしたコンテンツデータを記憶する。さらに、記憶部２８は、ストリーミングデータ等を一時的に記憶する。
【００３９】
ここで、本実施形態に係る記憶部２８は、スマートフォン１０に内蔵された内部記憶部２８Ａとスマートフォン１０に着脱自在な外部メモリスロットを有する外部記憶部２８Ｂとを含んで構成される。なお、記憶部２８を構成する内部記憶部２８Ａと外部記憶部２８Ｂは、フラッシュメモリタイプ（flash memory type）の格納媒体等を用いて実現される。なお、当該格納媒体は、ハードディスクタイプ（hard disk type）、マルチメディアカードマイクロタイプ（multimedia card micro type）、カードタイプのメモリ（例えば、ＭｉｃｒｏＳＤ（登録商標）メモリ等）であっても良い。また、上記メモリは、ＲＡＭ（Random Access Memory）、ＲＯＭ（Read Only Memory）等の格納媒体であっても良い。
【００４０】
一方、外部入出力部３０は、スマートフォン１０に連結される外部機器とのインターフェースの役割を果たす。本実施形態に係る外部入出力部３０は、他の外部機器に予め定められた通信規格等により直接的又は間接的に接続する。なお、当該通信規格等は、例えば、ユニバーサルシリアルバス（ＵＳＢ）、ＩＥＥＥ１３９４、ネットワーク（例えば、インターネット、無線ＬＡＮ、ブルートゥース（Bluetooth）（登録商標）等）である。または、上記通信規格等は、ＲＦＩＤ（Radio Frequency Identification）、赤外線通信（Infrared Data Association：ＩｒＤＡ）（登録商標）であっても良い。さらに、上記通信規格等は、ＵＷＢ（Ultra Wideband）（登録商標）、ジグビー（ZigBee）（登録商標）であっても良い。
【００４１】
ここで、本実施形態に係るスマートフォン１０に連結される外部機器は、例えば、有線／無線ヘッドセット、有線／無線外部充電器、有線／無線データポート、カードソケットを介して接続されるメモリカード（Memory card）等である。なお、当該外部機器は、ＳＩＭ（Subscriber Identity Module Card）／ＵＩＭ（User Identity Module）カード、オーディオ・ビデオＩ／Ｏ（Input/Output）端子を介して接続される外部オーディオ・ビデオ機器であっても良い。また、当該外部機器は、無線接続される外部オーディオ・ビデオ機器、有線／無線接続されるスマートフォン、有線／無線接続されるパーソナルコンピュータ、有線／無線接続されるＰＤＡ、イヤホンであっても良い。本実施形態に係る外部入出力部３０は、これらの外部機器から伝送されたデータをスマートフォン１０の内部の各構成要素に伝達することや、スマートフォン１０の内部のデータを外部機器に伝送する。
【００４２】
また、電源部３６は、主制御部３８の指示にしたがって、スマートフォン１０の各部に、バッテリ（図示しない）に蓄えられる電力を供給するものである。
【００４３】
さらに、主制御部３８は、マイクロプロセッサを備え、記憶部２８に記憶されている制御プログラムや制御データにしたがって動作し、スマートフォン１０の各部を統括して制御するものである。また、主制御部３８は、無線通信部２４を通じて、音声通信やデータ通信を行うために、通信系の各部を制御する移動通信制御機能と、アプリケーション処理機能を備える。
【００４４】
ここで、アプリケーション処理機能は、記憶部２８が記憶するアプリケーションソフトウェアにしたがって主制御部３８が動作することにより実現するものである。なお、アプリケーション処理機能としては、例えば、外部入出力部３０を制御して対向機器とデータ通信を行う赤外線通信機能や、電子メールの送受信を行う電子メール機能、ウェブページを閲覧するウェブブラウジング機能等がある。
【００４５】
また、主制御部３８は、受信データやダウンロードしたストリーミングデータ等の画像データ（静止画像や動画像のデータ）に基づいて、映像を表示入力部１４に表示する等の画像処理機能を備える。なお、ここでいう画像処理機能とは、主制御部３８が、上記画像データを復号し、復号によって得られた画像データに画像処理を施して、画像を表示入力部１４に表示する機能のことをいう。
【００４６】
更に、主制御部３８は、表示パネル１４Ａに対する各種情報の表示制御と、操作部２０や操作パネル１４Ｂ等を介したユーザ操作を検出する操作検出制御とを実行する。
【００４７】
上記表示制御の実行により、主制御部３８は、アプリケーションソフトウェアを起動するためのアイコンや、スクロールバー等のソフトウェアキーを表示したり、あるいは電子メールを作成するためのウィンドウを表示したりする。なお、ここでいうスクロールバーとは、表示パネル１４Ａの表示領域に収まりきれない大きな画像等について、画像の表示部分を移動する指示を受け付けるためのソフトウェアキーのことをいう。
【００４８】
また、上記操作検出制御の実行により、主制御部３８は、操作部２０を介したユーザ操作を検出したり、操作パネル１４Ｂを介して、上記アイコンに対する操作や、上記ウィンドウの入力欄に対する文字列の入力等を受け付けたりする。
【００４９】
さらに、主制御部３８は、操作パネル１４Ｂに対するジェスチャ操作を検出し、検出したジェスチャ操作に応じて、予め設定された機能を実行する。なお、ここでいうジェスチャ操作とは、従来の単純なタッチ操作ではなく、指等によって軌跡を描いたり、複数の位置を同時に指定したり、あるいはこれらを組み合わせて、複数の位置から少なくとも１つについて軌跡を描く操作等を意味する。
【００５０】
一方、カメラ部２２は、ＣＭＯＳ（Complementary Metal Oxide Semiconductor）やＣＣＤ（Charge-Coupled Device）等の撮像素子を用いて撮影するデジタルカメラである。また、カメラ部２２は、主制御部３８の制御により、撮像によって得た画像データを例えばＪＰＥＧ（Joint Photographic coding Experts Group）等の予め定められた規格により圧縮した画像データに変換する。また、カメラ部２２は、変換した画像データを記憶部２８に記録したり、外部入出力部３０や無線通信部２４等を介して外部装置に出力したりする。なお、スマートフォン１０において、カメラ部２２は表示入力部１４と同じ面に搭載されているが、カメラ部２２の搭載位置はこれに限らず、表示入力部１４の背面に搭載されてもよいし、あるいは、複数のカメラ部２２が搭載されてもよい。なお、複数のカメラ部２２が搭載されている場合には、撮影に供するカメラ部２２を切り替えて単独にて撮影したり、あるいは、複数のカメラ部２２を同時に使用して撮影したりする。
【００５１】
ここで、本実施形態に係るカメラ部２２はスマートフォン１０の各種機能に利用する。例えば、表示パネル１４Ａにカメラ部２２で取得した画像を表示することや、操作パネル１４Ｂの操作入力のひとつとして、カメラ部２２の画像を利用する。
【００５２】
さらに、カメラ部２２は、静止画又は動画の画像データにマイクロホン１８により取得した音声情報（主制御部３８等により、音声テキスト変換を行ってテキスト情報となっていてもよい）等を付加する。そして、カメラ部２２は、音声情報を付加した画像データを記憶部２８に記録したり、外部入出力部３０や無線通信部２４を介して外部装置に出力したりする。
【００５３】
ところで、本実施形態に係るスマートフォン１０は、内部記憶部２８Ａ及び外部記憶部２８Ｂの少なくとも一方に画像データが記憶され、かつユーザ操作によって当該画像データの一覧表示が指示された場合、表示パネル１４Ａに当該一覧表示を行わせる制御を行う。なお、本実施形態では、上記画像データとして、カメラ部２２等の撮影手段による撮影によって得られた画像データを適用している。
【００５４】
また、本実施形態に係るスマートフォン１０は、上記画像データを示す複数の電子化ファイル（以下、単に「ファイル」ともいう。）の各々に対応して種別や分類項目が規定されたファイル情報を記憶部２８に記憶している。スマートフォン１０は、当該ファイル情報に基づいて上記画像データの一覧表示を行う。
【００５５】
本実施形態に係るファイル情報４０は、図３に模式的に示すように、ファイル毎に、ファイル名を示すファイル名情報、含まれる画像データにより示される画像の撮影日を示す撮影日情報、及び当該画像の撮影者を示す撮影者情報が対応付けられた情報である。
【００５６】
本実施形態では、上記撮影者を上記種別とし、上記撮影日を上記分類項目として適用している。なお、上記種別は、撮影者に限定されず、撮影に用いた撮影装置の種類、撮影条件、撮影に用いたレンズ等、任意の情報を適用して良い。また、上記分類項目は、撮影日に限定されず、撮影対象（景色や人物等）、撮影場所等、任意の情報を適用して良い。
【００５７】
また、本実施形態に係るスマートフォン１０は、上記一覧表示を行っている際に操作パネル１４Ｂを介してスクロールを指示する操作（以下、「スクロール操作」という。）が行われたとする。この場合、当該スクロール操作に応じて表示パネル１４Ａに表示している各画像をスクロールさせる制御を行う。
【００５８】
スマートフォン１０は、各画像のスクロールを制御する際のスクロールモードとして、独立スクロールモード及び連動スクロールモードの何れかのスクロールモードが相互に切り替え可能とされる。本実施形態では、スクロールモードの切り替えは、ユーザにより操作パネル１４Ｂを介して切り替えられ、切り替えられたスクロールモードが記憶されることで行われる。なお、本実施形態に係る独立スクロールモードは、各分割領域４８を独立させて表示画像をスクロールさせるモードである。また、本実施形態に係る連動スクロールモードは、各分割領域４８を相互に連動させて表示画像をスクロールさせるモードである。
【００５９】
このように、本実施形態に係るスマートフォン１０は、上記画像データが示す画像（本実施形態では、撮影によってけられた画像）を一覧表示させるが、これに限定されない。すなわち、記憶部２８に記憶されている文書ファイル、音声ファイル、アプリケーションプログラム等を表すアイコンの画像等を一覧表示させても良い。
【００６０】
次に、図４を参照して、本実施形態に係るスマートフォン１０の作用を説明する。なお、図４は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【００６１】
同図のステップＳ１０１では、表示パネル１４Ａに、画面遷移の起点となるメニュー画面を表示させる制御を行う。
【００６２】
図５に示すように、本実施形態に係るメニュー画面４２は、メール機能の起動の指示を受け付けるためのメールボタン４４ａ、ウェブブラウジング機能の起動の指示を受け付けるためのウェブボタン４４ｂを備えている。また、メニュー画面４２は、カメラ機能の起動の指示を受け付けるためのカメラボタン４４ｃ、上記一覧表示の機能の起動の指示を受け付けるための画像一覧ボタン４４ｄを備えている。また、メニュー画面４２は、通話機能の起動の指示を受け付けるための通話ボタン４４ｅ、各種設定機能の起動の指示を受け付けるための設定ボタン４４ｆ等のメニューボタンを有する。
【００６３】
ユーザは、メニュー画面４２において、起動させたい機能に対応するメニューボタンの上面に触れることにより何れかのメニュー項目を選択する。これに応じて主制御部３８は、選択されたメニューボタンに対応する機能を起動する。
【００６４】
そこで、次のステップＳ１０３では、ユーザによる何れかのメニューボタンの選択待ちを行う。次のステップＳ１０５では、ユーザによって選択されたメニューボタンが画像一覧ボタン４４ｄであったか否かを判定する。ステップＳ１０５で否定判定となった場合はステップＳ１０７に移行し、選択されたメニューボタンに対応する機能を実行した後に、本表示制御処理プログラムを終了する。一方、ステップＳ１０５で肯定判定となった場合は、ステップＳ１０９に移行する。
【００６５】
ステップＳ１０９では、記憶部２８に記憶されているファイルにより示される画像を一覧表示する画像一覧画面を表示パネル１４Ａに表示する制御を行う。
【００６６】
図６に示すように、本実施形態に係る画像一覧画面４６は、表示パネル１４Ａの表示領域が予め定められた方向（本実施形態では、図６の正面視上下方向であり、以下、「分割方向」という。）に分割された複数の分割領域４８に区分される。また、各分割領域４８は、画像５０を表示する画像表示領域４８Ａと画像表示領域４８Ａに表示している画像５０に対応する種別を表示する種別表示領域４８Ｂとに更に区分される。
【００６７】
そして、一覧表示が行われる各画像５０が、予め定められた種別（本実施形態では、撮影者）毎に分割領域４８に割り振られて、各分割領域４８の画像表示領域４８Ａに表示される。また、各画像表示領域４８Ａには、種別毎に割り振られた各画像５０が、上記分割方向とは交差する方向（本実施形態では、図６の正面視左右方向であり、以下、「配列方向」という。）に分類項目（本実施形態では、撮影日）毎にまとめて配列されて表示される。本実施形態に係るスマートフォン１０は、上記配列方向に、時刻の経過に沿って撮影日毎に配列させる。
【００６８】
電子化ファイルには、文書データを有する文書ファイル、描画された画像の画像データを有する画像ファイル、撮影によって得られた画像の画像データを有する写真ファイル（映像ファイルを含む）等がある。これらの電子化ファイルは、一般的に、時刻に関する情報として、更新時間、閲覧時間、作成時間（写真ファイルの場合には撮影時間）等を有する。本実施形態では、写真ファイルによって示される画像５０を配列させて表示する場合を例に挙げているため、各画像５０を撮影日等の撮影時間に基づいて配列させている。すなわち、写真ファイルを整理する場合には、撮影時間が近い写真ファイルは撮影状況、撮影場所等が相互に類似している可能性が高い。一方、更新時間や閲覧時間が近い写真ファイルは撮影状況、撮影場所等が相互に異なっている可能性が高い。従って、写真ファイルを整理する場合には、撮影時間に基づいて整理にするのが適している。しかしながら、電子化ファイルを配列させる方法は撮影時間に基づく方法に限らず、更新時間、閲覧時間等の何れに基づいて配列させて良い。
【００６９】
さらに、各画像表示領域４８Ａにおける各分類項目に属する各画像５０がまとめて表示される領域（以下、「分類項目領域」という。）の予め定められた位置に、各画像５０の分類項目を示す情報が表示される分類項目表示領域５２が表示される。なお、本実施形態では、上記予め定められた位置として、各分類項目に属する画像５０の上記配列方向における表示開始位置（分類項目領域の先端）の近傍を適用しているが、これに限定されない。すなわち、各分類項目に属する画像５０の上記配列方向における表示終了位置（分類項目領域の終端）の近傍、分類項目領域の中央部等であっても良い。
【００７０】
次のステップＳ１１１では、操作パネル１４Ｂ及び操作部２０の何れか一方に対する操作があるまで待機する。そして、次のステップＳ１１３では、上記入力操作が表示制御処理プログラムを終了させる指示の入力操作であるか否かを判定する。本実施形態に係るスマートフォン１０では、スマートフォン１０の正面視左側に位置する操作部２０に対する押圧操作が行われた場合に、その時点実行されている処理を終了するものとされている。したがって当該操作部２０が押圧操作されたか否かを判定することにより、本表示制御処理プログラムを終了させる指示への入力操作であるか否かを判定する。
【００７１】
ステップＳ１１３で否定判定となった場合はステップＳ１１５に移行し、上記入力操作が、分割領域４８を指定したスクロール操作であったか否かを判定する。すなわち、ユーザは、画像一覧画面４６において、表示されている画像をスクロールさせたい分割領域４８の上面に触れたことに引き続き、接触位置をスクロールさせたい方向にスライドさせることによりスクロール操作を行う。そこで、主制御部３８は、画像表示領域４８Ａの何れかの位置が指定された後に、引き続き、指定された位置（以下、「指定位置」という。）が上記配列方向に移動した場合に、スクロール操作が行われたと判定する。
【００７２】
ステップＳ１１５で否定判定となった場合はステップＳ１１７に移行し、入力操作に応じた処理を実行し、本表示制御処理プログラムを終了する。例えばユーザが指先で操作パネル１４Ｂを介して何れかの画像５０に触れてすぐに指先を離す入力操作が行われて何れかの画像５０が指定されたとする。この場合、当該入力操作に応じた処理として、指定された画像５０を拡大して表示パネル１４Ａの表示領域の全体に表示する処理等を例示することができる。
【００７３】
一方、ステップＳ１１５で肯定判定となった場合はステップＳ１１９に移行し、スクロールモードが、連動スクロールモードに設定されているか否かを判定する。ステップＳ１１９で否定判定となった場合は、スマートフォン１０が独立スクロールモードに設定されているものとみなし、ステップＳ１２１に移行する。
【００７４】
ステップＳ１２１では、スクロール操作における指定位置の移動量を取得する。次のステップＳ１２３では、指定位置に表示されている分割領域４８（以下、「指定領域」という。）に表示されている各画像５０を、指定位置が移動した方向（以下、「指定方向」という。）に、指定位置の移動量に応じた距離だけスクロールさせる。なお、この際、指定位置の移動速度に応じた距離だけスクロールさせても良い。
【００７５】
図６に示すように、撮影者Ｃの各画像５０を表示する分割領域４８内の位置が指定されたことに引き続き、各分割項目領域における各画像５０が表示終了位置から表示開始位置に向かう方向（図６の正面視左方向）を指定方向としたスクロール操作が行われたとする。この場合、図７に示すように、主制御部３８は、指定領域である撮影者Ｃの各画像５０を表示する分割領域４８に表示されている各画像５０を、当該指定方向に、指定位置の移動速度に応じた距離だけスクロールさせる制御を行う。なお、この際、各画像５０を、指定位置の移動距離に応じた距離だけスクロールさせても良い。
【００７６】
次のステップＳ１２５では、ユーザによる操作パネル１４Ｂに対する接触状態が解除されたか否かを判定することにより、上記入力操作であるスクロール操作が解除されたか否かを判定する。ステップＳ１２５で否定判定となった場合は上記ステップＳ１２１に戻る一方、肯定判定となった場合は上記ステップＳ１１１に戻る。
【００７７】
一方、ステップＳ１１５で肯定判定となった場合には、後述するステップＳ１２７乃至Ｓ１３７の処理により、連動スクロールモードで各画像のスクロールを行う。
【００７８】
ここで、例えば図３に示されるファイル情報４０では、撮影者Ａにより４／１（４月１日）に撮影された画像５０の画像データがファイルＡ１乃至Ａ１０の１０枚である。また、撮影者Ｂにより４／１に撮影された画像５０の画像データがファイルＢ１乃至Ｂ１１の１１枚であり、撮影者Ｃにより４／１に撮影された画像５０の画像データがファイルＣ１乃至Ｃ１２の１２枚である。
【００７９】
この場合、主制御部３８は、各撮影日に撮影された画像５０の数が撮影者毎に異なっていること、すなわち同一の分類項目に属する画像５０の数が各分割領域間で異なっていることを考慮し、各分類項目に属する画像５０の数に基づいてスクロール速度を決定する。
【００８０】
すなわちステップＳ１２７では、指定位置に表示されている分類項目領域に表示されている各画像５０の分類項目（以下、「指定分類項目」という。）を取得する。この際、主制御部３８は、ファイル情報４０において上記各画像５０に対応付けられた撮影日情報を分類項目として取得する。
【００８１】
次のステップＳ１２９では、ファイル情報４０に基づいて指定分類項目に属する画像５０の数を種別毎に取得する。主制御部３８は、一例として図６に示すように、指定分類項目が４／１であった場合には、上述したように、ファイル情報４０から撮影日情報が４／１とされたファイルの数を撮影者毎に取得する。
【００８２】
次のステップＳ１３１では、指定分類項目に属する画像５０の個数に応じて、スクロール速度を種別毎に導出する。この際、初めに指定領域に表示されている画像５０のスクロール速度を決定する。一例として図８の上段に示すように、指定位置が撮影者Ｂの各画像５０を表示する分割領域４８内であったとする。また、図８の正面視左方向にスクロール操作が行われた、すなわち、各分類項目領域の各画像５０が表示終了位置から表示開始位置に向かう方向にスクロール操作が行われたとする。この場合、主制御部３８は、まず、指定領域に表示されている各画像５０のスクロール速度を決定する。当該スクロール速度は、スクロール操作に応じた速度であっても、予め定められた速度であっても良い。
【００８３】
次に、指定領域以外の分割領域４８に表示されている各画像５０のスクロール速度を、種別毎に、分類項目領域における予め定められた位置が各分割領域４８間で同調する速さとして導出する。なお、本実施形態では、当該予め定められた位置を、上記表示開始位置または表示終了位置とする。また、本実施形態では、上記スクロール速度を、種別毎に、指定分類項目に属する画像５０の数に基づいて決定する。
【００８４】
上述したように、例えば撮影者Ｂの分類項目「４／１」に属する画像５０が１１枚であるのに対し、撮影者Ａの分類項目「４／１」に属する画像５０が１０枚であり、撮影者Ｃの分類項目「４／１」に属する画像５０が１２枚であるとする。この場合、指定領域に表示されている撮影者Ｂの指定分類項目に属する画像５０の数と、他の種別の指定分類項目に属する画像５０の数とを比較し、異なる種別間で指定分類項目に属する画像の表示終了位置が同調するスクロール速度を導出する。具体的には、図８の下段に示すように、撮影者Ｂの１１枚の画像５０をスクロールさせた後の当該画像５０の表示終了位置と、撮影者Ａの１０枚の画像５０をスクロールさせた後の当該画像５０の表示終了位置とを一致させる。同様に、撮影者Ｂの１１枚の画像５０をスクロールさせた後の当該画像５０の表示終了位置と、撮影者Ｃの１２枚の画像５０をスクロールさせた後の当該画像５０の表示終了位置とを一致させる。
【００８５】
すなわち、図８の中段に示すように、撮影者Ｂの指定分類領域に属する画像５０の数を基準速度とすると、画像５０の数が多い撮影者Ｃの画像５０が基準速度より速い速度でスクロールされる。また、画像５０の数が少ない撮影者Ａの画像５０が基準速度より遅い速度でスクロールされる。この処理により、図９に示すように、各分割領域４８に表示されている各画像５０が各々異なる速度でスクロールされる。また、図１０に示すように、撮影者Ａ乃至Ｃの各指定分類領域に属する各画像５０が、当該指定分類領域の表示終了位置が一致するスクロール速度でスクロールされる。なお、この際、指定分類項目の次に配列されている分類項目に属する画像５０が表示される分類項目領域の表示開始位置も一致することになる。
【００８６】
なお、以上とは逆に図８の正面視右方向にスクロール操作が行われた、すなわち、各分類項目領域の画像５０が表示開始位置から表示終了位置に向かう方向にスクロール操作が行われたとする。この場合には、指定領域に表示されている撮影者Ｂの指定分類項目に属する画像５０の数と、他の種別の指定分類項目に属する画像５０の数とに基づき、異なる種別間で指定分類項目に属する画像５０の表示開始位置が一致するスクロール速度を導出する。これにより、撮影者Ａ乃至Ｃの各指定分類領域に属する各画像５０が、当該指定分類領域の表示開始位置が一致するスクロール速度でスクロールされる。この際、指定分類項目の前に配列されている分類項目に属する画像５０が表示される分類項目領域の表示終了位置も一致することになる。
【００８７】
次のステップＳ１３３では、上記指定位置の移動量を取得する。この際、主制御部３８は、スクロール操作が開始されて初めて当該ステップＳ１３３の処理を行う場合には、スクロール操作が開始されてからの移動量を取得する。一方、当該ステップＳ１３３の処理を２回目以降に行う場合には、前回移動量を取得した後の移動量を取得する。
【００８８】
次のステップＳ１３５は、各分割領域４８に表示している各画像を、取得した指定位置の移動量と上記ステップＳ１３１の処理により導出したスクロール速度とに応じた距離だけスクロールさせる。この際、主制御部３８は、例えば指定位置の移動速度とスクロール速度とに応じた距離だけスクロールさせても良い。
【００８９】
なお、本実施形態に係るスマートフォン１０は、スクロール操作が行われた場合に指定分類領域に属する画像５０が存在しない分割領域４８に表示されている画像５０についてはスクロールの対象から除外する。この際、スマートフォン１０は、上記ステップＳ１３１でスクロール速度を０とすることで、上記ステップＳ１３５でスクロールさせない制御を行う。しかし、指定分類領域に属する画像５０が存在しない分割領域４８に表示されている画像５０を、予め定められた速度または指定領域に属する画像５０のスクロール速度に応じた速度でスクロールさせても良い。
【００９０】
次のステップＳ１３７では、ユーザによる操作パネル１４Ｂに対する接触状態が解除されたか否かを判定することにより、上記入力操作が解除されたか否かを判定する。ステップＳ１３７で否定判定となった場合は、上記ステップＳ１３３に戻る一方、ステップＳ１３７で肯定判定となった場合は、上記ステップＳ１１１に戻る。
【００９１】
一方、上記ステップＳ１１３で肯定判定となった場合、ステップＳ１３９に移行し、画像一覧画面４６の表示を停止するように表示パネル１４Ａを制御し、本表示制御処理プログラムを終了する。
【００９２】
［第２実施形態］
【００９３】
上記第１実施形態に係るスマートフォン１０は、操作パネル１４Ｂを介してスクロール操作が行われた場合に、各分割領域４８に表示されている各画像５０を分割領域４８間で連動してスクロールさせる制御を行う。これに対し、本第２実施形態に係るスマートフォン１０は、操作パネル１４Ｂを介して分類項目が指定された場合に、各分割領域４８に表示されている各画像５０を分割領域４８間で連動してスクロールさせる制御を行う。
【００９４】
なお、第２実施形態に係るスマートフォン１０の構成は、第１実施形態に係るスマートフォン１０と同様であるので、ここでは説明は省略する。
【００９５】
次に、図１１を参照して、本実施形態に係るスマートフォン１０の作用を説明する。なお、図１１は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【００９６】
始めに、ステップＳ１０１乃至Ｓ１１３では、第１実施形態のステップＳ１０１乃至Ｓ１１３と同一の処理を行う。なお、ステップＳ１１３で肯定判定となった場合はステップＳ１３９に移行し、第１実施形態のステップＳ１３９と同一の処理を行い、本表示制御処理プログラムを終了する。一方、ステップＳ１１３で否定判定となった場合、ステップＳ２０１に移行する。
【００９７】
ステップＳ２０１では、上記入力操作が分類項目表示領域５２を指定する操作であるか否かを判定する。この際、主制御部３８は、操作パネル１４Ｂを介して何れかの分類項目表示領域５２を触れる操作が行われた場合、上記入力操作が分類項目表示領域５２を指定する操作であると判定する。
【００９８】
ステップＳ２０１で否定判定となった場合はステップＳ１１７に移行し、第１実施形態のステップＳ１１７と同一の処理を行い、本表示制御処理プログラムを終了する。一方、ステップＳ２０１で肯定判定となった場合は、ステップＳ２０３に移行する。
【００９９】
次のステップＳ２０３では、分類項目の一覧を表示する分類項目表示領域５２を表示パネル１４Ａの表示領域に表示する。一例として図１２に示すように、例えば撮影者Ｂの分割領域４８に表示されている分類項目表示領域５２をユーザ操作により指定されたとする。この場合、指定された分類項目表示領域５２の周囲（本実施形態では、図１２の正面視上下方向に隣接する位置）に、分類項目５６の一覧が表示される分類項目一覧領域５４を表示させる制御を行う。ユーザは、操作パネル１４Ｂ上で分類項目一覧領域５４に表示された分類項目５６のうち何れかの分類項目５６を触れることで、何れかの分類項目を指定する。
【０１００】
次のステップＳ２０５では、分類項目一覧領域５４に表示された分類項目５６のうちの何れかが指定されるまで待機する。この際、主制御部３８は、操作パネル１４Ｂを介して何れかの分類項目５６を触れる操作が行われた場合、分類項目５６の何れかが指定されたと判定する。
【０１０１】
次のステップＳ２０７では、ファイル情報４０に基づいて、指定された分類項目である指定分類項目に属する画像の数を種別毎に取得する。
【０１０２】
次のステップＳ２０９では、指定分類項目に属する画像に基づいてスクロール速度を種別毎に導出する。
【０１０３】
次のステップＳ２１１では、各分割領域４８に表示している各画像を、種別毎のスクロール速度に応じてスクロールさせる制御を行い、上記ステップＳ１１１に戻る。
【０１０４】
例えば、分類項目一覧領域５４から例えば４／５の分類項目５６が指定された場合、図１３に示すように、主制御部３８は、４／５の分類項目に属する各画像の表示開始位置が上記配列方向において一致する速度で各画像をスクロールさせる。
【０１０５】
なお、本実施形態では、分類項目表示領域５２が指定された場合に、分類項目一覧領域５４を表示させるが、これに限定されない。すなわち、主制御部３８は、ステップＳ２０１で分類項目表示領域５２が指定された場合に、指定された分類項目一覧領域５４に示される分類項目が指定されたものとしてもよい。この場合には、ステップＳ２０１で肯定判定となった後に、ステップＳ２０３の処理、ステップＳ２０５の処理を行わずに、ステップＳ２０７に移行する。
【０１０６】
また、各分割領域４８に表示されている各画像５０をスクロールさせる際、分割領域４８毎に異なる方向にスクロールさせても良い。一例として図１４に示すように、指定分類項目の表示終了位置を表示させる方向にスクロール操作が行われたとする。この際、指定分割項目の表示終了位置が、各画像のスクロールによって最終的に表示する目標位置よりもスクロール方向に表示されている分割領域４８に表示している画像を、スクロール方向とは相反する方向にスクロールさせる。一方、指定分割項目の表示終了位置が上記目標位置よりも上記相反する方向に表示されている分割領域４８に表示している画像を、スクロール方向にスクロールさせる。
【０１０７】
一例として図１５に示すように、撮影者Ａ、Ｃ、Ｄ及びＥの分割領域４８に表示している画像を、スクロール方向（図１５の正面視右方向）にスクロールさせる。また、撮影者Ｂの分割領域４８に表示している画像を、スクロール方向とは相対する方向（図１５の正面視左方向）にスクロールさせる。これにより、図１６に示すように、撮影者Ａ乃至Ｅ…の各指定分類領域に属する各画像が、当該指定分類領域の表示終了位置が一致するスクロール速度で一致する方向にスクロールされる。
【０１０８】
各分割領域４８に表示されている各画像５０を、分割領域４８間で相反する方向にスクロールさせる場合には、指定領域に表示されている各画像５０が表示終了位置から表示開始位置に向かう方向にスクロール操作が行われたとする。この場合、当該各画像の表示終了位置と、相反する方向にスクロールさせる分割領域４８に表示されている各画像５０の表示開始位置とが一致するスクロール速度でスクロールされる。
【符号の説明】
【０１０９】
１０  スマートフォン
１４Ａ  表示パネル
１４Ｂ  操作パネル
２８  記憶部
３８  主制御部
４０  ファイル情報
４６  画像一覧画面
【図１】
2014071764.tif 000003
【図２】
2014071764.tif 000004
【図３】
2014071764.tif 000005
【図４】
2014071764.tif 000006
【図５】
2014071764.tif 000007
【図６】
2014071764.tif 000008
【図７】
2014071764.tif 000009
【図８】
2014071764.tif 000010
【図９】
2014071764.tif 000011
【図１０】
2014071764.tif 000012
【図１１】
2014071764.tif 000013
【図１２】
2014071764.tif 000014
【図１３】
2014071764.tif 000015
【図１４】
2014071764.tif 000016
【図１５】
2014071764.tif 000017
【図１６】
2014071764.tif 000018